(57)【要約】【課題】はがきやシールなどの取り外し可能な部分を設けることができるうえに、より多くの情報や図などを掲載することが可能なシート状印刷物を提供する。【解決手段】取り外し可能な分離領域と残される残置領域とがシート本体２に形成されるはがき付き印刷物１である。  そして、シート本体は、両面に印刷が施された面状材を折り重ねた二層構造を有し、分離領域には、剥離可能なシール部４と、剥離されたシール部を貼り付けるためのはがき本体３とが設けられ、残置領域には面状材を折り重ねただけの非接合部５が形成されるとともに、非接合部の周縁の少なくとも一部とはがき本体の少なくとも一部とが折り重ねた側と剥離可能となるように接合されている。【選択図】図１
0003191895.tif 000002
【実用新案登録請求の範囲】
【請求項１】
取り外し可能な分離領域と残される残置領域とがシート本体に形成されるシート状印刷物であって、
前記シート本体は、両面に印刷が施された面状材を折り重ねた二層構造を有し、
前記分離領域には、剥離可能なシール部と、剥離された前記シール部を貼り付けるための台紙部とが設けられ、
前記残置領域には前記面状材を折り重ねただけの非接合部が形成されるとともに、前記非接合部の周縁の少なくとも一部と前記台紙部の少なくとも一部とが折り重ねた側と剥離可能となるように接合されていることを特徴とするシート状印刷物。
【請求項２】
前記シート本体は、前記残置領域に前記シート本体から起立する起立部を有し、前記起立部が前記シート本体から切り離されることなく起立するように前記起立部の周縁に沿って前記シート本体の一方の層に、起立用折目と起立用切込とを形成することを特徴とする請求項１に記載のシート状印刷物。
【請求項３】
前記台紙部がはがき本体であるとともに、前記シール部には複数のシール片が形成されていることを特徴とする請求項１又は２に記載のシート状印刷物。
【考案の詳細な説明】
【技術分野】
【０００１】
本考案は、広告や宣伝のために配布されるチラシ、ブック状玩具、子供向け教材、雑誌や本の綴込み、又はダイレクトメールなどに使用される、取り外し可能なはがきやアンケート用紙などとそれに貼り付けられるシールが付いたシート状印刷物に関するものである。
【背景技術】
【０００２】
従来、チラシや本の綴込みなどのシートの一部が、取り外し可能なはがきとなっている印刷物が知られている。例えば特許文献１には、紙片を重ねて貼り合せた二層構造のはがきが、ミシン目から切り離せる構成が開示されている。
【先行技術文献】
【特許文献】
【０００３】
【特許文献１】特開２００４−１３３０６５号公報
【考案の概要】
【考案が解決しようとする課題】
【０００４】
しかしながら特許文献１に開示された印刷物では、紙片を剥離不能に接着しているため、表面と裏面のはがき部分以外の領域にしか広告情報などを掲載できず、掲載できる情報量が限られていた。
【０００５】
また、この特許文献１では、はがき部分のみ剥離不能に接着し、はがき部分以外の領域を剥離可能に張り合わせた実施形態も開示されている。この場合、印刷物の表面及び裏面だけでなく、貼り合わせ面にも広告情報を表示することができるが、やはり、はがき部分は剥離不能であるため、その張り合わせ面を有効利用することはできなかった。
【０００６】
そこで、本考案は、はがきやシールなどの取り外し可能な部分を設けることができるうえに、より多くの情報や図などを掲載することが可能なシート状印刷物を提供することを目的としている。
【課題を解決するための手段】
【０００７】
前記目的を達成するために、本考案のシート状印刷物は、取り外し可能な分離領域と残される残置領域とがシート本体に形成されるシート状印刷物であって、前記シート本体は、両面に印刷が施された面状材を折り重ねた二層構造を有し、前記分離領域には、剥離可能なシール部と、剥離された前記シール部を貼り付けるための台紙部とが設けられ、前記残置領域には前記面状材を折り重ねただけの非接合部が形成されるとともに、前記非接合部の周縁の少なくとも一部と前記台紙部の少なくとも一部とが折り重ねた側と剥離可能となるように接合されていることを特徴とする。
【０００８】
ここで、前記シート本体は、前記残置領域に前記シート本体から起立する起立部を有し、前記起立部が前記シート本体から切り離されることなく起立するように前記起立部の周縁に沿って前記シート本体の一方の層に、起立用折目と起立用切込とを形成することができる。
【０００９】
また、前記台紙部がはがき本体であるとともに、前記シール部には複数のシール片が形成されている構成とすることができる。
【考案の効果】
【００１０】
このように構成された本考案のシート状印刷物は、シート本体が両面に印刷が施された面状材を折り重ねた二層構造を有している。そして、折り重ねただけの非接合部の周縁と、取り外し可能な台紙部とが、折り重ねた側と剥離可能となるように接合されている。
【００１１】
このため、シート本体を一枚の面状材となるまで簡単に展開することができるので、より多くの情報や図などを掲載することが可能となる。また、面状材が剥離不能となるような接着を行わないので、糊などの接着剤の使用量を減らすことが可能となり、シート状印刷物を廉価に製作することができる。
【００１２】
さらに、取り外し可能なはがきやアンケート用紙などとなる台紙部と、それに貼り付けるためのシール部とが設けられているので、はがきやアンケート用紙への記入の負担をシール部によって減らすことができるようになり、回収率を上げることができる。
【００１３】
また、シート状印刷物を開くと、それに連動して起立部が立ち上がるようにすることで、利用者の関心を高めることができる。さらに、はがき本体に貼り付けるための複数のシール片がシール部に形成されていれば、利用者にその中から好みのシール片を選択させるなど好奇心を刺激することができるようになる。
【図面の簡単な説明】
【００１４】
【図１】本考案の実施の形態のシート状印刷物としてのはがき付き印刷物の使用状態を説明する斜視図である。
【図２】紙片を折り重ねる前の状態を示した説明図である。
【図３】紙片の両端を折り畳んだシート本体の状態を示した説明図である。
【図４】はがき付き印刷物の完成した状態を説明する平面図である。
【図５】はがき付き印刷物を展開した状態の構成を説明する平面図である。
【考案を実施するための形態】
【００１５】
以下、本考案の実施の形態について図面を参照して説明する。図１は、本実施の形態のシート状印刷物としてのはがき付き印刷物１の構成及び使用方法を説明するための斜視図である。
【００１６】
このはがき付き印刷物１は、取り外し可能な分離領域と残される残置領域とがシート本体２に形成される。そして、シート本体２は、図１−図３に示すように、両面に印刷が施された紙片（面状材）を折り重ねた二層構造となる。
【００１７】
また、シート本体２には、分離領域として剥離可能なシール部４と、剥離されたシール部４のシール片４１を貼り付けるための台紙部としてのはがき本体３が設けられる。一方、シート本体２のシール部４及びはがき本体３以外が、残置領域となる。この残置領域には、紙片を折り重ねただけの非接合部５が形成される。
【００１８】
シート本体２となる折り重ねる前の紙片は、図２に示すように、短辺２１Ａ，２１Ｂと長辺２１Ｃ，２１Ｄを有する略長方形（例えば、Ａ４サイズの紙４枚分）に形成された１枚の紙である。シート本体２には、必要に応じて第一面２ａと第二面２ｂ（図２，３参照）の両面に広告、図、文字などの情報の印刷が施される。なお、図２中の矢印は、シート本体２に印刷されたものではなく、紙片の折り方向を示す矢印である。
【００１９】
この略長方形のシート本体２となる紙片を、短辺２１Ａ，２１Ｂと平行な折目２２Ａ，２２Ｂでそれぞれ折り重ね、図３に示すように、左右の短辺２１Ａ，２１Ｂ（端縁）をシート本体２の中央付近（折目２２Ｃ付近）で対峙させて積層し、二層構造としている。この際に、折り返しの上側にきた層のうち、短辺２１Ａ側を第一の上層２３Ａとし、短辺２１Ｂ側を第二の上層２３Ｂとする。また、この上層２３Ａ，２３Ｂの下側の層を下層２４とする。
【００２０】
はがき本体３は、図１，３に示すように、下層２４に積層させる上層２３Ｂに設けられ、取り外し可能な分離領域（切離部）となる。はがき本体３は、一方の面（例えば図２のシート本体２の第一面２ａ）への印刷によって宛名面３ｂが形成され、他方の面（例えば図３のシート本体２の第二面２ｂ）への印刷によって通信面３ａが形成される。
【００２１】
はがき本体３は、その周縁に沿って第二の上層２３Ｂのみを切り取る切取線３３を設けることによって形成されている。このはがき本体３の宛名面３ｂには、図２に示すように周縁に沿った内側を囲繞するように剥離糊などが塗布された弱接合層３２が設けられる。
【００２２】
はがき本体３は、折り重ねた下層２４の対峙する箇所に、この弱接合層３２によって剥離可能となるように接合されている。このため、はがき本体３の周縁が切取線３３によって連続して切断されていても、利用者の意図せぬ時機にはがき本体３が脱落することがない。
【００２３】
はがき本体３は、例えば第一種郵便物の定形郵便物に該当する長方形に成形される。定形郵便物の最小形状は、長辺が１４ｃｍで短辺が９ｃｍであり、最大形状は長辺が２３．５ｃｍで短辺が１２ｃｍで厚さが１ｃｍである。なお、重さは５０ｇ以下であればよく、下限値の制限はないので１枚の紙片で成形することができる。
【００２４】
シール部４は、はがき本体３と同じく第二の上層２３Ｂ側に、はがき本体３に並んで設けられる。このシール部４に設けられる複数のシール片４１，・・・は、はがき本体３の通信面３ａのシール欄３１，・・・に貼り付けられる。
【００２５】
複数のシール片４１の裏側には、図２に示すように剥離と再接着とが可能な粘着剤の塗布によって粘着層４２が設けられる。粘着層４２に用いられる粘着剤には、例えばアクリル系粘着剤などの不溶性の糊が使用される。
【００２６】
また、折目２２Ｂで折り返して上層２３Ｂと下層２４とを積層させた際に、粘着層４２と対峙する箇所には、コーティング剤を塗布したコーティング層４３を設ける。このコーティング層４３に粘着層４２を積層させることによって、シール片４１を剥がしたり接着させたりを繰り返すことができる。
コーティング層４３に用いられるコーティング剤には、例えばシリコーン樹脂を使用することができる。シリコーン樹脂には、溶剤型、無溶剤型、エマルジョン型などがあり、例えば、ＵＶシリコーンが使用できる。
【００２７】
また、非接合部５の上方には、図１に示すような起立部６が設けられる。この起立部６は、図１，３に示すように、紙片を両側からそれぞれ折り重ねたシート本体２の突き合わされる短辺２１Ａ，２１Ｂを挟んで、第一及び第二の上層２３Ａ，２３Ｂに形成されている。起立部６は、この第一及び第二の上層２３Ａ，２３Ｂと下層２４とを積層しただけの非接合部５に設けられる。
【００２８】
起立部６は、図１に示すように、シート本体２から立体的に立上る起立片６１Ａ，６１Ｂと、起立片６１Ａ，６１Ｂを支持する基部６２Ａ，６２Ｂとを有している。起立片６１Ａ，６１Ｂを形成するため、第一及び第二の上層２３Ａ，２３Ｂには、起立片６１Ａ，６１Ｂの周縁に沿って起立用折目６３Ａ，６３Ｂと起立用切込６４Ａ，６４Ｂ，６４Ｃ，６４Ｄとが設けられている。
【００２９】
また、基部６２Ａ，６２Ｂは、下層２４に接着剤を塗布して設けられた接着層６５（図２参照）を介して、下層２４に接着されている。この起立用折目６３Ａ，６３Ｂ、起立用切込６４Ａ−６４Ｄ及び接着された基部６２Ａ，６２Ｂにより、起立片６１Ａ，６１Ｂがシート本体２から切り離されたり、浮き上がったりすることなく起立可能となる。
【００３０】
また、起立用折目６３Ａ，６３Ｂは、起立片６１Ａ，６１Ｂ側の短辺２１Ａ，２１Ｂとのなす角が鈍角となるように形成される。この起立用折目６３Ａ，６３Ｂは、ミシン目などで折れ易くしたものであっても、折る位置を線で示したものであっても、凹溝を設けて線を示したものであってもいずれでもよい。
【００３１】
また、起立用切込６４Ａ，６４Ｂは、短辺２１Ａ，２１Ｂと平行に切り込まれるとともに、起立用切込６４Ｃ，６４Ｄは、長辺２１Ｃと平行に切り込まれる。すなわち、起立用切込６４Ａ，６４Ｃ（６４Ｂ，６４Ｄ）は、起立用折目６３Ａ（６３Ｂ）の端部と短辺２１Ａ（２１Ｂ）とを結ぶようにＬ字状に切り込まれる。この結果、起立用折目６３Ａ，６３Ｂを起点にして起立片６１Ａ，６１Ｂを起こす方向に折り曲げると、起立用切込６４Ａ，６４Ｃ（６４Ｂ，６４Ｄ）と短辺２１Ａ（２１Ｂ）とによって外形が形成される台形状の起立片６１Ａ（６１Ｂ）を起立させることができる。
【００３２】
さらに、起立片６１Ａ，６１Ｂには、短辺２１Ａ，２１Ｂの周辺に接合用折目６６Ａ，６６Ｂが設けられている。この接合用折目６６Ａ，６６Ｂは、起立用折目６３Ａ，６３Ｂと略直交する方向に向けて形成される。この接合用折目６６Ａ，６６Ｂも、ミシン目などで折れ易くしたものであっても、折る位置を線で示したものであってもいずれでもよい。
【００３３】
そして、両側の起立片６１Ａ，６１Ｂの接合用折目６６Ａ，６６Ｂを折り曲げて、二等辺三角形状の端縁周辺の表面を互いに接着剤で接着して端縁接合部６７Ａ，６７Ｂとする。この結果、図１に示すように、起立片６１Ａ，６１Ｂを壁のような立体形状にすることができる。
【００３４】
起立片６１Ａ，６１Ｂの両面（第一面２ａ，第二面２ｂ）には、文字や図などの情報が印刷されるが、特に重要な情報やメッセージなどを印刷することが好ましい。起立片６１Ａ，６１Ｂが起立することで、これらの重要情報を、利用者に印象付けて提示することができる。
【００３５】
また、二層構造のシート本体２の両側であって、はがき本体３、シール部４及び起立部６以外の残置領域（非接合部５）は、これらの利用方法、商品広告、講座情報などの情報を掲載する領域となっている。
【００３６】
また、非接合部５の周縁の少なくとも一部は、折り重ねた側と剥離可能となるように接合される。例えば図２に示すように、非接合部５の周縁となる紙片の短辺２１Ａ，２１Ｂ及び長辺２１Ｃ，２１Ｄに沿った内側には、剥離糊などが塗布された弱接合層５１Ａ−５１Ｆが設けられる。
【００３７】
シート本体２の上層２３Ａと下層２４及び上層２３Ｂと下層２４は、折り重ねた際に弱接合層５１Ａ−５１Ｆによって剥離可能となるように接合される。このため、シート本体が図３に示すような状態になっても、利用者の意図せぬ時機に図５に示すような展開された状態までになることはない。
【００３８】
また、コーティング層４３が設けられる箇所やはがき本体３を対峙させる箇所にも、文字や図などの広告情報等を印刷することができ、シール片４１やはがき本体３を取り外した際にこれらの情報を視認することができる。したがって、より多くの広告情報等を提供することができる。
【００３９】
シール片４１は、全周縁が切込み４４によって切り取られ、シート本体２の上層２３Ｂから分離した状態でコーティング層４３に接着されている。そのため、未使用時にはコーティング層４３からシール片４１が不測に剥がれることはないが、使用時にはシール片４１をコーティング層４３から容易に剥離することができる。
【００４０】
複数のシール片４１，・・・には、はがき本体３に貼り付けることで送り先（広告主など）に利用者の要望を伝えることができるような情報がそれぞれ印刷されている。利用者は、シール片４１，・・・の中から、伝えたい情報が記載されたシール片４１を選択して、はがき本体３のシール欄３１に貼り付けることができる。
【００４１】
以上のように構成されたはがき付き印刷物１において、はがき本体３及びシール部４のシール片４１，・・・は、シート本体２から取り外し可能な分離領域となる。この分離領域以外の残される領域、すなわち、起立部６を含む非接合部５及びコーティング層４３を含む領域が、残置領域となる。
【００４２】
次に、図面を参照しながら本実施の形態のはがき付き印刷物１の製作方法及び使用方法について説明する。
【００４３】
まず、ロール紙から紙片を引き出し、両面印刷機（図示せず）によってシート本体２の第一面２ａ及び第二面２ｂに印刷を行う。すなわち、はがき本体３、シール部４、起立部６及び非接合部５において広告等するのに必要な印刷は、この工程ですべて行う。
【００４４】
印刷後に、リワインダー装置（図示せず）によって巻き取られた紙片をオフライン加工機（図示せず）にセットし、再び引き出された印刷済みの紙片（シート本体２）に対して、図２に示すように、第一面２ａの所定の範囲にＵＶシリコーンを塗布してコーティング層４３を形成する。
【００４５】
そして、コーティング層４３をＵＶ硬化させた後に、第一面２ａの所定の範囲に粘着剤を塗布して、粘着層４２を形成する。また、第一面２ａの所定の範囲に接着剤を塗布して、接着層６５を形成する。さらに、第一面２ａの所定の範囲に剥離糊を塗布して、弱接合層３２，５１Ａ−５１Ｆを形成する。
【００４６】
シート本体２の粘着層４２、接着層６５及び弱接合層３２，５１Ａ−５１Ｆを設けた領域が、接合部となる。この接合部以外の領域には、接着剤や粘着剤や剥離糊を塗布しないことで、非接合部５が形成される。したがって、粘着剤や接着剤を全面に塗布した後に、上塗り印刷やコーティングなどによって粘着力や接着力を取り除く方法などに比べて、接着剤や粘着剤などの使用を必要最小限に抑えることができ、廉価な実施が可能となる。
【００４７】
次に、紙片を折り重ねる工程に移行する。図２に示される一点鎖線は、山折りを表し、二点鎖線は谷折りを表す。まず、はがき付き印刷物１ごとに切断された紙片（シート本体２）を折目２２Ａ，２２Ｂで谷折りに折り曲げ、左右の短辺２１Ａ，２１Ｂをシート本体２の中央付近（折目２２Ｃ付近）で対峙させて二層構造とし、第一の上層２３Ａ、第二の上層２３Ｂ及び下層２４を形成する。なお、この後の工程で、シート本体２が中央付近の折目２２Ｃで折り畳み易くなるように、左右の短辺２１Ａ，２１Ｂは、互いに接することなく、数ミリの間隙を介して対峙させる。
【００４８】
そして、弱接合層５１Ａ−５１Ｆ同士、粘着層４２とコーティング層４３及び弱接合層３２と非接合部５とを貼り合わせて、図３に示した状態にする。なお、上層２３Ａ，２３Ｂの所定領域が接着層６５に接着されることで、起立部６の基部６２Ａ，６２Ｂが形成される。
【００４９】
次に、図３に示すように、上層２３Ａ，２３Ｂと下層２４とが折り重ねられた状態のまま、ダイカッタで上層２３Ａ，２３Ｂのみに切込みやミシン目を入れる工程に移行する。この工程では、はがき本体３となる領域では、はがき本体３の形状に合わせて切取線３３となる箇所に全周の切り込みを入れる。このとき、はがき本体３の切取線３３は、ミシン目や少なくとも一箇所にアンカット部を残した切り込みにしてもよい。
ここで、はがき本体３は弱接合層３２によって下層２４に接合されているので、切り込みを入れても浮き上がったり、勝手に外れたりすることがない。
【００５０】
また、シール部４では、シール片４１，・・・の形状に合わせて全周を切り抜き、切込み４４，・・・を形成する。このシール片４１，・・・は、粘着層４２によって下層２４のコーティング層４３に接合されているので、浮き上がったり、切り込みを入れてもめくれたりすることがない。
【００５１】
さらに、起立部６の起立用折目６３Ａ，６３Ｂとなる箇所及び起立用切込６４Ａ−６４Ｄとなる箇所にミシン目を入れる。また、必要に応じて接合用折目６６Ａ，６６Ｂにもミシン目を入れる。なお、起立用切込６４Ａ−６４Ｄとなる箇所は、ミシン目ではなく切込みを入れてもよい。ここまでは、印刷、シート本体２の折り重ね、裁断に至るまで一貫した工程で行うことができる。
【００５２】
次に、起立部６を形成する工程に移行する。まず、起立用切込６４Ａ−６４Ｄとなる箇所に入れたミシン目を破断することで、起立片６１Ａ，６１Ｂを形成する。続いて、起立用折目６３Ａ，６３Ｂを折り曲げ、この起立用折目６３Ａ，６３Ｂを起点として起立片６１Ａ，６１Ｂをそれぞれ起立させる。その後、接合用折目６６Ａ，６６Ｂを折り曲げて、二等辺三角形状の端縁周辺の表面を互いに接着剤で接着することで、端縁接合部６７Ａ，６７Ｂを形成する。このように、端縁接合部６７Ａ，６７Ｂによって第一、第二の上層２３Ａ，２３Ｂを互いに一体にしても、図４に示すように、中央の折目２２Ｃによってはがき付き印刷物１を閉じることができる。
【００５３】
最後に、二層構造のシート本体２を、折目２２Ｃで折り重ね、折目２２Ａと折目２２Ｂとを少しずらして剥離糊などで接着させることで、図４に示すように、もとの紙片のほぼ４分の１のサイズ（例えば、Ａ４サイズ）のはがき付き印刷物１を形成することができる。また、最上層に配置された第二面２ｂの折目２２Ａの下端付近に、その位置から剥離することを示す目印２５が印刷されている。なお、シート本体２を折目２２Ｃで折り重ねたときに、図４に示すように、折目２２Ａと折目２２Ｂとが１ｃｍ程度ずれるような寸法合わせとすることで、はがき付き印刷物１を開き易くできる。
【００５４】
このようにして製作されたシート状のはがき付き印刷物１は、新聞の折込み広告などで利用者に配布される。なお、図４に表示された第二面２ｂに、利用者の宛名を印刷することでダイレクトメールとして配布することもできる。
【００５５】
このはがき付き印刷物１を受け取った利用者は、シート本体２の最上層や最下層の表面（第二面２ｂ）に露出した部分に印刷された文字、図などの情報を視認する。これらの広告情報等に関心を持った利用者は、さらに情報を収集するために、目印２５部分を保持して最上層を最下層から引き剥がして図１に示すようにはがき付き印刷物１を開く。最下層と最上層とは剥離糊によって接合されているだけなので、簡単に分離させてはがき付き印刷物１を開くことができる。
【００５６】
すると、端縁接合部６７Ａ，６７Ｂによって一体になった起立部６の起立片６１Ａ，６１Ｂが、起立用折目６３Ａ，６３Ｂを起点にして起立用切込６４Ａ−６４Ｄから自然に起き上る。また、起立片６１Ａ，６１Ｂの起立により、起立片６１Ａ，６１Ｂが積層していた下層２４の領域が露出する。
【００５７】
このようにして起立片６１Ａ，６１Ｂが、シート本体２の中央に立体的に現れることで、利用者に印象付けることができ、利用者の興味を引くことができる。利用者は、起立片６１Ａ，６１Ｂの表面（第一面２ａ、第二面２ｂ）や下層２４の露出部分に印刷された広告情報や広告主のメッセージなどを視認して、さらなる情報の取得を欲することになる。
【００５８】
また、はがき付き印刷物１を開くことで、図１に示すように、はがき本体３及びシール部４も露出する。非接合部５などに印刷されたはがき本体３の利用方法などを読んで関心を持った利用者は、切取線３３からはがき本体３を切り離す。はがき本体３は、弱接合層３２によって下層２４に接合されているだけなので、簡単に取り外すことができる。
【００５９】
一方、シール部４には、はがき本体３のシール欄３１，３１に貼り付けるためのシール片４１，・・・が並んでいる。例えば、はがき付き印刷物１が、通信講座の申し込みを行うためのものである場合においては、返信はがきとなるはがき本体３を差し出すことによって利用者には希望する通信講座の資料等が届く仕組みとなっている。
【００６０】
しかしながらはがき付き印刷物１に沢山の講座が紹介されていると、利用者はその中から選ぶのに時間がかかったり、迷いが多くなったりするため、はがき本体３を返信することを断念してしまうおそれがある。これに対して、シール部４に人気の高い講座の順にシール片４１，・・・を並べておけば、利用者は選択がしやすくなってはがき本体３を送信する意欲を持続させ続けることができるようになる。
【００６１】
さらに、自ら選択したシール片４１をはがき本体３のシール欄３１に貼り付けるだけで講座を選択できれば、文字を書く手間が省け、はがき本体３による申し込みがより簡単に行えるようになる。
【００６２】
また、シール片４１の粘着層４２側やコーティング層４３側に講座の人気度を示す順位が印刷された構成とした場合は、利用者は順位を当てるためにシール片４１を剥がして、興味があればそのままはがき本体３に貼るという行為を楽しめるようになり、はがき本体３の返信率を高めることができる。
【００６３】
さらに、図１に示した短辺２１Ａ，２１Ｂから引き剥がすように上層２３Ａ，２３Ｂを持ち上げることで、図５に示すようにシート本体２を左右に展開することができる。ここで、上層２３Ａ，２３Ｂは、短辺２１Ａ，２１Ｂ及び長辺２１Ｃ，２１Ｄ周辺に設けられた弱接合層５１Ａ−５１Ｆによって下層２４に接合されているだけなので、簡単に剥がれて開くことができる。
【００６４】
そして、利用者は、上層２３Ａ，２３Ｂによって隠されていた第一面２ａに印刷された追加情報を視認することができるようになる。したがって、利用者に対して、さらに多くの情報を提供することができる。これにより、シート本体２の第一面２ａ及び第二面２ｂのほとんどすべてに印刷された情報を利用者が視認ができるようになる。
【００６５】
次に、本実施の形態のはがき付き印刷物１の作用について説明する。
【００６６】
以上のように構成された本実施の形態のはがき付き印刷物１は、シート本体２が両面に印刷が施された紙片を折り重ねた二層構造を有している。そして、紙片を折り重ねただけの非接合部５の周縁と、取り外し可能なはがき本体３とが、折り重ねた側（下層２４側）と剥離可能となるように弱接合層５１Ａ−５１Ｆ，３２を介して接合されている。
【００６７】
そのため、配布時などの意図しない時機に非接合部５が開いたり、浮き上がったり、捲れたりするのを防ぐことができる。さらに、分離領域の不測の脱落も防ぐことができ、利用者の好きなときに容易に分離領域のはがき本体３、シール片４１などを取り外すことができる。また、非接合部５の周縁以外には接着剤や粘着剤を使用しないため、材料費を低減してはがき付き印刷物１を廉価に製作することができる。
【００６８】
また、シート本体２を一枚の紙片となるまで簡単に展開することができるので、より多くの情報や図などを掲載することが可能となる。すなわち、上層２３Ａ，２３Ｂを下層２４から容易に剥がして合わせ面を開くことができ、この合わせ面に印刷された情報を利用者に提示することができる。このように、シート本体２の両面（２ａ，２ｂ）を効率的に利用して、より多くの情報を掲載可能なはがき付き印刷物１とすることができる。
【００６９】
さらに、取り外し可能なはがき本体３と、それに貼り付けるためのシール片４１とが設けられているので、はがき本体３への記入の負担をシール部４によって減らすことができるようになり、返信はがきの回収率を上げることができる。
【００７０】
また、シート本体２の中央に設けた起立部６の起立片６１Ａ，６１Ｂが、はがき付き印刷物１を開いただけでシート本体２から起立することで、起立片６１Ａ，６１Ｂに印刷した情報を立体的に見せて、利用者に強く印象付けることができる。
【００７１】
すなわち、起立部６を設けた場合に、折り畳み時は起立片６１Ａ，６１Ｂがはがき付き印刷物１の内側に収容され、折り畳みを解除した時に、情報が印刷された起立片６１Ａ，６１Ｂが自然に起立することとなり、利用者により強い印象を与えることができる。
【００７２】
以上、図面を参照して、本考案の実施の形態を詳述してきたが、具体的な構成は、この実施の形態に限らず、本考案の要旨を逸脱しない程度の設計的変更は、本考案に含まれる。
【００７３】
例えば、前記実施の形態では、シート本体２が紙片によって形成される場合について説明したが、これに限定されるものではなく、合成樹脂などのシート、膜、薄板など、厚みが薄い面状材であればシート本体２にすることができる。
【００７４】
また、前記実施の形態では、台紙部をはがき本体３として説明したが、これに限定されるものではない。例えば、台紙部をアンケートの回答用紙とし、回答候補（選択肢）をシール片４１，・・・に印刷しておくこともできる。
【００７５】
さらに、前記実施の形態では、はがき本体３、シール部４、起立部６などを長方形や台形に形成しているが、これに限定されるものではない。使用目的やデザインなどに応じて、正方形や他の多角形状、又は半円形状やドーム形状、若しくは、花形、星形など、デザイン化した形状とすることもできる。
【００７６】
また、起立部６は、基部６２Ａ，６２Ｂを接着してシート本体２から分離することのない残置領域としているが、これに限定されるものではない。例えば、起立部６にクーポンや招待券などを印刷して、起立用折目６３Ａ，６３Ｂなどから切り離し可能、又は基部６２Ａ，６２Ｂを剥離可能とすれば、立体的に飛び出してきたクーポン等に興味を示した利用者が、切り離して利用するという行動に結び付けることができる。なお、起立部６を省略して製作コストを抑えることもできる。
【００７７】
さらに、前記実施の形態では、新聞の折込み広告として配布されるはがき付き印刷物１を使用する場合について説明したが、これに限定されるものではない。例えば、ダイレクトメール、住戸の郵便受けに投函される広告、街頭や店頭で配布される広告、又は雑誌や本の綴込みなどに本考案のシート状印刷物を使用することができる。
【符号の説明】
【００７８】
１              はがき付き印刷物（シート状印刷物）
２              シート本体
２ａ            第一面
２ｂ            第二面
２３Ａ，２３Ｂ  上層
２４            下層
３              はがき本体（分離領域、台紙部）
３１            シール欄
３２            弱接合層
４              シール部
４１            シール片（分離領域）
５              非接合部
５１Ａ−５１Ｆ  弱接合層
６              起立部
６３Ａ，６３Ｂ  起立用折目
６４Ａ−６４Ｄ  起立用切込
【図１】
0003191895.tif 000003
【図２】
0003191895.tif 000004
【図３】
0003191895.tif 000005
【図４】
0003191895.tif 000006
【図５】
0003191895.tif 000007